(57)【特許請求の範囲】
【請求項１】
遊技球が乗り得るように該遊技球の通路に設けられた受皿と、該受皿と一体的に形成された作動部材とを備え、該受皿には乗った遊技球が自在に遊動し滞留し得るステージ面が形成されその下底部に落下口が形成されていて該遊技球が滞留後に該落下口から排出されるようにすると共に、該受皿を揺動可能に支持することにより該受皿上に乗った遊技球の荷重で該受皿が揺動するようにし、前記作動部材は該受皿が揺動することで前記通路に出没するように配設し、該通路に出没する作動部材によって該通路を流下する遊技球の流れが変えられることで該通路を流下する遊技球の入賞の難易度が変化するようにしたことを特徴とするパチンコ遊技機の入賞装置。
【請求項２】
受皿のステージ面は凹球面状であってその中心に落下口が形成されたものである請求項１に記載のパチンコ遊技機の入賞装置。
【発明の詳細な説明】
【０００１】
【発明の属する技術分野】
本発明はパチンコ遊技機において遊技球を入賞に導くために遊技盤面に設けられる入賞装置に関するものである。
【０００２】
【従来の技術】
パチンコ遊技機の遊技盤面には、従来から、例えばソレノイドやモータ等の電気的駆動源によって球誘導部材を動かすものや、パチンコ球の重量によって羽根を開閉させるチューリップ型のものまで、種々の形態の入賞装置が設けられていて、遊技球が入賞し易い状態と入賞し難い状態に変動させることでパチンコの興趣を増大させるようにしている。
【０００３】
ところで、従来の電気的駆動源を使用した入賞装置は、必然的に入賞率が画一化されるために面白みが欠けるという問題がある。また従来のチューリップ型の入賞装置は、単調な動きしかしないのですでに飽きられていた。
【０００４】
【発明が解決しようとする課題】
そこで本発明は、電気的駆動源を使用することなく、入賞の難易の形成に多様性を持たせられるようにし、パチンコの興趣をさらに増大し得る入賞装置を提供しようとするものである。
【０００５】
【課題を解決するための手段】
そのために本発明に係るパチンコ遊技機の入賞装置は、入賞の難易度を変化させる作動部材と、遊技球が自在に遊動し滞留し得るステージ面が形成されその下底部に落下口が形成された受皿とからなり、該受皿上に遊技球が乗ることによって前記作動部材が可動し入賞の難易度が変化するようにしたことを特徴とする。
また本発明に係るパチンコ遊技機の入賞装置は、入賞の難易度を変化させる作動部材と、遊技球が自在に遊動し滞留し得るステージ面が形成されその下底部に落下口が形成された受皿とからなり、該受皿と作動部材とは一体的に形成し揺動可能に支持するとともに、該受皿上に遊技球が乗ることによって作動部材が遊技球の通路に出没し入賞の難易度が変化するようにしたことを特徴とする。
また本発明は上記入賞装置において、受皿のステージ面は凹球面状であってその中心に落下口が形成されたものであることを特徴とする。
【０００６】
【発明の実施の形態】
次に発明の実施形態を図面に従い説明する。図１にこのパチンコ遊技機における遊技盤の正面を示し、図中、１は該遊技盤上に設けられたカラー液晶表示器からなる図柄変動表示器、２はソレノイドの作動により扉が開閉動するように設けられた大入賞口である。
【０００７】
３は図柄変動表示器２の下縁部に固設された緩傾斜状の通路４に遊技球が導かれるように遊技盤上に設けられた入球口である。図２，図３にも示したように、該通路４の途中に前方突出状の排出口５が形成され、また、該通路４の至端には段状低下部６と障壁７が形成されている。８は遊技球が自在に遊動し滞留し得るように凹球面状のステージ面９が形成されその下底部に落下口１０が形成された受皿、１１は該受皿の後縁部に一体に形成され重錘１２が内蔵されたバランス体、１３は該受皿の後縁部より上方に延びるように一体に形成された板片状の作動部材で、該受皿とバランス体１１の間に水平な支軸１４を貫挿し、該支軸１４によってこれらを揺動可能に支持している。なお、１５はその揺動範囲を制限するために設けられたストッパである。そして該作動部材１３を通路４の排出口５が形成された部分の後側部に開設されたスリット１６に臨ませている。また、１７は排出口５から排出された遊技球か入賞し得るように遊技盤１上に設けられた始動入賞口、１８は落下口１０に相対する球案内樋である。
【０００８】
この入賞装置は常態では図２，図３に示したように受皿８の重量よりバランス体１１の重量が勝っていて受皿８が後傾状態にあり作動部材１３はスリット１６中に没している。このため、通路４に流入した遊技球ａは作動部材１３に当たることなく障壁７に当たって方向転換をして段状低下部６より受皿８に乗りステージ面９にてその球勢により自在に揺動する。そして遊技球ａの荷重が受皿８に掛かると該受皿８は図４，図５に示したように支軸１４を支点として前傾することから作動部材１３が通路４に突出する。このため、このとき通路４にまた遊技球ｂが流入して来るとその遊技球ｂは作動部材１３に当たって排出口５より排出され始動入賞口１７に入賞し易くなる。なお受皿８に乗った遊技球ａは該受皿８上にて揺動し暫く滞留した後、落下口１０より排出される。そして遊技球ａが落下口１０より排出されると受皿８は軽くなって図１，図２に示したようにまた後傾し作動部材１３は没する。
【０００９】
このため遊技者は受皿８上に遊技球ａがあるうちに次の遊技球がまた通路４に流入することを期待するのであるが、遊技球ａの滞留時間はその球勢や動きによって様々であるので画一化が避けられる。
【００１０】
また、受皿８は遊技球ａが乗るとその荷重によって揺動することから、該受皿８上の該遊技球ａの揺動が一層増幅され様々な動きをして落下口１０より排出されるようになる。
【００１１】
なお、受皿８のステージ面９はこの実施形態に示した凹球面状の他、船底形等他の形成にすることもできる。また、この実施形態では排出口５より排出された遊技球が始動入賞口１７に入賞し易いようにしたが、必ずしもそのような配置にしなくてもよく、例えば落下口１０より排出された遊技球が始動入賞口やその他の入賞口に入賞するようにしてもよい。また、通路４，排出口５，作動部材１３等の形状，入球経路，流出経路，構造についてもこの実施形態にとらわれることなく種々の形態を想起し得る。
【００１２】
またこの実施形態では、受皿８の上部に作動部材１３を設けたことで、先行する遊技球ａによって後続する遊技球ｂの入賞の難易度が決定されるようにしたが、作動部材１３を設ける位置やその形態によっては後続する遊技球が先行する遊技球の入賞の難易度を変化させるようにすることもできる。その場合、受皿の落下口から落下した遊技球が作動部材の動きによって入賞の難易度が変化せられるように構成される。ちなみにこの作動部材の形態としては周知のチューリップ型の入賞装置を採ることも可能である。さらにはこの入賞装置は図１に示した第１種パチンコ遊技機だけでなく、羽根物と称される周知の第２種パチンコ遊技機、および権利物と称される第３種パチンコ遊技機に設けることも可能である。
【００１３】
【発明の効果】
このように本発明に係るパチンコ遊技機の入賞装置は、受皿上に遊技球が乗ることによって作動部材が可動し入賞の難易度が変化するようにしたことから、遊技球が受皿上に滞留する時間との関係でタイミング良く遊技球が流入すれば入賞し易くなったり入賞し難くなって、従来の電気的駆動源を使用した入賞装置のように入賞の難易性が画一的でなくなるので、パチンコ遊技元来の興趣を増大させる有益な効果がある。
【図面の簡単な説明】
【図１】本発明に係るパチンコ遊技機の遊技盤の実施形態を示す正面図。
【図２】本発明に係るパチンコ遊技機の入賞装置の実施形態を示す斜視図。
【図３】本発明に係るパチンコ遊技機の入賞装置の実施形態を示す縦断面図。
【図４】図２の作動状態図。
【図５】図３の作動状態図。
【符号の説明】
１      遊技盤
４      通路
５      排出口
８      受皿
９      ステージ面
１０    落下口
１１    バランス体
１２    重錘
１３    作動部材
１４    支軸
１７    始動入賞口
【図１】
0003921352.tif 000002
【図２】
0003921352.tif 000003
【図３】
0003921352.tif 000004
【図４】
0003921352.tif 000005
【図５】
0003921352.tif 000006